(57)【要約】      （修正有）【課題】組立てが容易であると共に、コンパクトな仕舞い状態にして輸送コストを低減でき、且つ製造コストが低い組立式収納体を提供する。【解決手段】対面する２枚の側板１、２同志を連結する正面コ形の連結部材ａ１を備えた連結部ａを筐体の前後方向で１対備えた。【選択図】図２
0003214253.tif 000002
【実用新案登録請求の範囲】
【請求項１】
少なくとも、対面する２枚の側板と、底板と、天板とで囲まれてなる収納空間を備えた筐体を具備した組立式収納体であって、
対面する２枚の前記側板同志を連結する１対の連結部を、前記筐体の前後方向で対面するように備え、
前記連結部は、２枚の前記側板間にわたるように配置される連結部材と、２枚の前記側板に設けられた連結筒とを具備し、
前記連結部材は、２枚の前記側板間にわたる方向の軸を有する支持杆と、前記支持杆の軸と直交する方向の軸を有すると共に、前記連結筒に対して嵌脱自在な周形状に形成されて、前記支持杆から外方に突設された２本の連結杆とを備え、
前記連結筒は、前記連結杆が天地方向から嵌脱するように、前記側板の対面側に軸を天地方向として配置されていることを特徴とする組立式収納体。
【請求項２】
前記底板を載置する載置部を備え、前記載置部は、２枚の前記側板の対面側に、相互に向かい合う前記側板方向へ突設された載置板と、前記支持杆の対面側に、相互に向かい合う前記支持杆方向へ突設された載置板とを備え、全ての前記載置板は、該載置板の前記天板側の面同志が同面となるように配置されていることを特徴とする請求項１に記載の組立式収納体。
【請求項３】
前記側板と前記天板とを連結する第２の連結部を備え、前記第２の連結部は、側板側の内側に配置され、相互に向かい合う前記側板方向へ突設された嵌合突起と、前記天板側に配置され、前記嵌合突起に嵌合するように、該嵌合突起に対して向かい合う方向に開孔された嵌合孔とを備えていることを特徴とする請求項１又は２に記載の組立式収納体。
【考案の詳細な説明】
【技術分野】
【０００１】
本考案は、ロッカーや収納庫等の組立式収納体に関し、筐体の各構成部材同士を溶接、接着、ネジ留め等の固着手段を用いずに組立てられる機能を有する組立式収納体に関する。
【背景技術】
【０００２】
組立式収納体は、例えば、下記特許文献１，２に記載されているように、天板、側板、背板、底板等の構成部材を組立てることによって、所定形状に形成できる構造のものが知られている。
【先行技術文献】
【特許文献】
【０００３】
【特許文献１】特許第４９００６５８号公報
【特許文献２】特許第３０７１６８１号公報
【考案の概要】
【考案が解決しようとする課題】
【０００４】
特許文献１の組立式収納体の組立て構造は、連結部材を介して天板、側板、底板同志を連結すると共に、連結部材と天板、側板、底板とを固着手段のネジを用いて固着して正面ロ形に形成し、正面ロ形の開放部の一方に背板を嵌め入れて、背板と天板、側板、底板とをネジによって連結固着するようにしたものである。
【０００５】
しかしながら、特許文献１の組立式収納体の組立て構造は、連結時において、ネジを必要とするため、組立て作業や分解作業が面倒であると共に、相当の時間を要するという問題があった。
【０００６】
また、連結部材が天板と底板又は側板から突出した状態で組立てるため、分解された仕舞い状態においては、連結部材が取外されており、組立て時に連結部材を所定位置に取付ける作業も必要であった。
【０００７】
連結部材については、天板と底板又は側板にあらかじめ取付けた状態とした構成も記載されているが、このような構成である場合、通常の状態において連結部材が突出しているため、仕舞い状態が嵩張ったり、仕舞い難く輸送コストが割高になったりするという問題があった。
【０００８】
一方、特許文献２の組立式収納体は、側板と背板とをあらかじめ折り畳み自在に形成されていると共に、ネジ等の固着手段を用いることなく、各構成部材を互いに嵌合することによって組立てができるものである。
【０００９】
また、特許文献２の組立式収納体は、周側パネルの接合部分や各部材端部を曲げ加工し、曲げ加工した部分同志を嵌合して連結すると共に、曲げ加工した部分に枠や柱を嵌合して連結する構造であるため、周側パネルの構造及び骨組み強度、スムーズな拡開、折り曲げ動作、周側パネルに対する天板、底板のスムーズな連結動作、且つガタツキない連結状態を確保する必要がある。
【００１０】
しかしながら、周側パネルの構造及び骨組み強度、スムーズな拡開、折り曲げ動作、周側パネルに対する天板、底板のスムーズな連結動作、且つガタツキない連結状態を確保するには、極めて複雑、且つ正確な曲げ加工技術が要求されるため、製造コストが嵩んでしまうという問題があった。
【００１１】
このため、組立てが容易であると共に、コンパクトな仕舞い状態にして輸送コストを低減でき、且つ製造コストが低い組立式収納体が望まれている。
【課題を解決するための手段】
【００１２】
前述の課題を解決するために、本考案は、下記の手段を採用した。
【００１３】
少なくとも、対面する２枚の側板と、底板と、天板とで囲まれてなる収納空間を備えた筐体を具備した組立式収納体であって、対面する２枚の前記側板同志を連結する１対の連結部を、前記筐体の前後方向で対面するように備え、前記連結部は、２枚の前記側板間にわたるように配置される連結部材と、２枚の前記側板に設けられた連結筒とを具備し、前記連結部材は、２枚の前記側板間にわたる方向の軸を有する支持杆と、前記支持杆の軸と直交する方向の軸を有すると共に、前記連結筒に対して嵌脱自在な周形状に形成されて、前記支持杆から外方に突設された２本の連結杆とを備え、前記連結筒は、前記連結杆が天地方向から嵌脱するように、前記側板の対面側に軸を天地方向として配置されていることを特徴とする組立式収納体にしたことである。
【００１４】
前記底板を載置する載置部を備え、前記載置部は、２枚の前記側板の対面側に、相互に向かい合う前記側板方向へ突設された載置板と、前記支持杆の対面側に、相互に向かい合う前記支持杆方向へ突設された載置板とを備え、全ての前記載置板は、該載置板の前記天板側の面同志が同面となるように配置されていることが好ましい。
【００１５】
前記側板と前記天板とを連結する第２の連結部を備え、前記第２の連結部は、側板側の内側に配置され、相互に向かい合う前記側板方向へ突設された嵌合突起と、前記天板側に配置され、前記嵌合突起に嵌合するように、該嵌合突起に対して向かい合う方向に開孔された嵌合孔とを備えていることが好ましい。
【考案の効果】
【００１６】
本考案は、前述の構成によって、前述の課題を解決することができる。
【図面の簡単な説明】
【００１７】
【図１】本考案に係る一実施形態の組立式収納体を示す正面図であり、（ａ）〜（ｃ）において要部を切欠且つ拡大して示す。
【図２】図１の組立式収納体の分解斜視図である。
【図３】図１の（３）-（３）線一部切欠拡大断面図である。
【図４】図１の（４）-（４）線一部切欠拡大断面図である。
【考案を実施するための形態】
【００１８】
以下、本考案に係る一実施形態の組立式収納体Ａを図面に基づいて説明すると、本形態の組立式収納体Ａは、ロッカーを例示しており、以下、ロッカーＡとして説明する。
【００１９】
ロッカーＡは、対面する２枚の側板１，２と、底板３と、天板４とで囲まれてなる収納空間Ｓを備えた正面ロ形の筐体Ｂを具備し、筐体Ｂに収納空間Ｓを複数に仕切る中仕切板５、後面に背板６、前面に戸板７を配してなる。
【００２０】
ロッカーＡは、側板１，２、天板４、中仕切板５は、背板６は、連結部ａ、第２の連結部ｂ、第３の連結部ｃ、第４の連結部ｄによって連結されている。
【００２１】
側板１，２、底板３、天板４、中仕切板５、背板６、戸板７は、金属板を切断及び折り曲げ等の加工を施して所定形状に形成されたものである。
【００２２】
連結部ａは、図１(ａ)、図２に示すように、対面する２枚の側板１，２同志を連結するものであり、筐体Ｂの前後方向で１対備えており、側板１，２間にわたるように配置された連結部材ａ１と、側板１，２に夫々設けられた連結筒ａ２とを具備している。
【００２３】
連結部材ａ１は、側板１，２間にわたる方向の軸を有する角材状の支持杆ａ１０と、支持杆ａ１０の軸と直交する方向の軸を有して、支持杆ａ１０の両端部の外面から外方に突設された２本の角材状の連結杆ａ１１とを備えた正面コ形に形成されている。
【００２４】
連結筒ａ２は、内面形状が連結杆ａ１１の周形状と適合する角形状として形成され、側板１，２の底部側の前端と後端とに設けられている。
【００２５】
このような連結部ａは、筐体Ｂの前後方向に並列すると共に、連結杆ａ１１を上方(天板方向)に向けて並べ、連結杆ａ１１に連結筒ａ２を嵌合させることで、側板１，２同志を連結して定位置に配置することができる。
【００２６】
筐体Ｂには、底板３を載置する載置部ｅが設けられており、この載置部ｅに底板３を載置することで、筐体Ｂの底部を構成している。
【００２７】
載置部ｅは、図１(ｂ)、図２に示すように、側板１，２の対面側の下端に、相互に向かい合う側板１，２方向へ突設された載置板ｅ１と、支持杆ａ１０の側面に、相互に向かい合う支持杆ａ１０方向へ突設された載置板ｅ２とを備えており、載置板ｅ１、ｅ２の上面(天板側の面)同志が同面となるように配置されている。
【００２８】
載置部ｅは、載置板ｅ１の基端(側板１、２側の端部)と、載置板ｅ２の基端(支持杆ａ１０側の端部)とで囲む範囲が、底板３の外周形状と適合する形状にされており、このような載置部ｅに底板３を載置することによって、底板３を固定することなく、しかも、底板３のずれを防いだ状態で筐体Ｂの底部を構成することができる。
【００２９】
第２の連結部ｂは、側板１，２と天板４とを連結するものであり、図１(ｃ)、図２に示すように、側板１，２の上端縁(天板４側の縁)から側板１，２の前後幅と同幅で上方(天板４方向)に突設された支持板ｂ１と、支持板ｂ１の内側(側板１，２同志の対面側)に収納空間Ｓ側に向かって突設された嵌合突起ｂ２と、天板４の前後幅と同幅で天板４の内側(底板３側)に収納空間Ｓ側に向かって突設された支持板ｂ３と、支持板Ｂ３の嵌合突起ｂ２との対面側に開孔され、嵌合突起ｂ１が嵌合される嵌合孔ｂ４とを備えている。
【００３０】
このような第２の連結部ｂは、側板１，２の上方から天板４を側板１，２に対して載せると共に、支持板ｂ１と支持板ｂ３とが対面するように押し込むと、支持板ｂ３が嵌合突起ｂ２に接触して支持板ｂ１に対して離間する方向に撓み、嵌合孔ｂ４が嵌合突起ｂ２と対面する位置に至ると、嵌合孔ｂ４が嵌合突起ｂ２と嵌合し、これによって、側板１，２と天板４とを、ビス止め等の固着手段を用いることなく連結することができると共に、連結状態を保持できる。
【００３１】
第３の連結部ｃは、収納空間Ｓを仕切る中仕切板５を連結するものであり、図２に示すように、中仕切板５の下端縁(底板３側の外縁)から支持杆ａ１０に向かって突設された嵌合突起ｃ１と、支持杆ａ１０の上面に開孔された嵌合孔ｃ２とを備えており、嵌合突起ｃ１を嵌合孔ｃ２に嵌合することで、中仕切板５を支持杆ａ１０に対して立てるように連結することができる。
【００３２】
また、中仕切板５の連結状態(立設状態)を保持するために、本実施形態では、第３の連結部ｃの一部として、側板１と中仕切板５との間、側板２と中仕切板５との間、中仕切板５同志の間に着脱自在に掛止された網棚ｃ３や洋服掛け杆ｃ４によって中仕切板５の連結状態を保持すると共に、中仕切板５の上端に嵌合突起(図示せず)を設ける一方、天板４の内側に嵌合孔又は嵌合凹部(図示せず)を設け、天板４を載せたときに、嵌合突起が嵌合孔又は嵌合凹部に嵌合する凹凸嵌合構造を用いることによって中仕切板５の連結状態を保持するようにしている。
【００３３】
第３の連結部ｃによる中仕切板５の連結状態の保持構造については、例示した形態に限らない。
【００３４】
このような第３の連結部ｃによって、中仕切板５を収納空間Ｓに配置するときに、中仕切板５と支持杆ａ１０及び側板１，２とをビス止め等の固着手段を用いることなく連結することができる。
【００３５】
第４の連結部ｄは、筐体Ｂの後方側の開口を塞ぐ背板６と、側板１，２及び支持杆ａ１０並びに天板４とを連結するものである。
【００３６】
ここで、背板６は、図１、図２、図４に示すように、２枚の背板部材６０、６１を連結して一枚の背板６として構成されており、背板部材６０、６１は、左右方向(側板の対面方向)に沿って並べられていると共に、背板部材６０と背板部材６１との相互に対面する外縁に設けられた孔部６０ａに凸部６０ｂを挿し込むと共に、挿し込んで孔部６０ａから突出した凸部６０ｂを折り曲げて固定することで連結されている。
【００３７】
第４の連結部ｄは、図３、図４に示すように、背板６の側板１，２側の外縁から側板１，２方向に向かって突設された挿込み板ｄ１と、側板１，２に設けられ、挿込み板ｄ１が挿し込まれる挿込み部ｄ２と、背板６の上端縁から上方に向かって突設された天板側嵌合突起ｄ３と、背板６の下端縁から下方に向かって突設された支持杆側嵌合突起ｄ４と、天板４側に設けられ、天板側嵌合突起ｄ３が嵌合される天板側嵌合孔ｄ５と、後方の連結部材ａ１の支持杆ａ１０側に設けられ、支持杆側嵌合突起ｄ４が嵌合される支持杆側嵌合孔ｄ６とを備えている。
【００３８】
このような第４の連結部ｄは、背板６を配置するときに、支持杆側嵌合突起ｄ４を支持杆側嵌合孔ｄ６に嵌合すると共に、挿込み板ｄ１を挿込み部ｄ２に挿し込んで背板６を支持杆ａ１０上に立設し、立設した背板６の上方から背板６に対して天板４を載せるようにしながら、天板側嵌合突起ｄ３を天板側嵌合孔ｄ５に嵌合することで、背板６を側板１，２及び天板４並びに支持杆ａ１０に連結することができる。
【００３９】
戸板７は、例えば、上下端部に突設された回転軸(図示せず)を支持杆ａ１０及び天板４に開孔された軸支孔(図示せず)に回転自在に嵌合する周知構造によって開閉自在に装着することができる。
【００４０】
以上の構成によるロッカーＡは、ビス等の固着手段を用いることなく組立てられているため、迅速、且つ容易に組み立て及び分解を行うことができる。
【００４１】
また、側板１，２を連結する連結部ａが、正面コ形の連結部材ａ１を有し、連結時においては、連結杆ａ１１の軸を上下方向に向けて地面に設置して、この連結杆ａ１１に側板１、２に設けられた連結筒ａ２を嵌合させることで側板１，２を連結でき、連結筒ａ２を連結杆ａ１１から抜き取ることで側板１，２を取外すことができる。
【００４２】
更に、ロッカーＡを分解した仕舞い状態では、各構成部材を平面方向で重ねるが、このとき、連結部ａを寝かせて各構成部材と重ねることで、仕舞い状態において突出する部分がなく、しかも、重ねた状態での高さを低くすることができるので、仕舞い状態をコンパクトにできる。
【００４３】
その上、各構成部材に複雑な曲げ加工や固着手段を用意する必要がないので、ロッカーＡの製造コストを低くすることができる。
【００４４】
しかも、筐体Ｂに配置される中仕切板５や背板６、更には網棚ｃ３や洋服掛けｃ４が、筐体Ｂの変形等を抑制する支持構造としても機能するため、支持構造を必要とせず、中仕切板５や背板６、更には網棚ｃ３や洋服掛けｃ４によってロッカーＡの剛性を高めることができる。
【００４５】
以上、本考案の実施の形態について図面を参照して詳述してきたが、具体的な構成は、これらの実施の形態に限られるものではなく、本考案の要旨を逸脱しない範囲の設計の変更等があっても本考案に含まれる。
【００４６】
また、上述の各実施の形態は、その目的及び構成等に特に矛盾や問題がない限り、互いの技術を流用して組み合わせることが可能である。
【符号の説明】
【００４７】
Ａ：ロッカー
Ｂ：筐体
Ｓ：収納空間
１：側板
２：側板
３：底板
４：天板
ａ：連結部
ｂ：第２の連結部
ｅ：載置部
ａ１：連結部材
ａ２：連結筒
ａ１０：支持杆
ａ１１：連結杆
ｅ１：載置板
ｅ２：載置板
ｂ１：嵌合突起
ｂ２：嵌合孔
【図１】
0003214253.tif 000003
【図２】
0003214253.tif 000004
【図３】
0003214253.tif 000005
【図４】
0003214253.tif 000006